(57)【要約】【課題】  ＷＤＭ信号を送受信する光伝送システムにおいて、低コストかつ簡易な構成で波長ごとの冗長化を実現する。【解決手段】  伝送装置１は、ノード間で互いに対応するＷＤＭ信号を送受信する光伝送システムにおいて使用される。複数の光送受信器２はそれぞれ光信号を生成する。複数のトランスポンダ３は複数の光送受信器２により生成される複数の光信号からＷＤＭ信号として多重すべき複数の光信号を生成する。光スイッチ回路１３、１４は複数の光送受信器２と複数のトランスポンダ３との間に設けられ、それらの間の光信号の経路を切り替える。ＷＤＭ信号として多重される複数の光信号の優先順位が管理テーブルに設定される。検出器１１は受信したＷＤＭ光に多重化されている各光信号の通信状態を検知する。制御回路１２は、検出器１１により障害が検知されたときに、管理テーブルにより設定されている優先順位に基づいて光スイッチ回路内１３、１４の経路を変更する。【選択図】図２
2006166037.tif 000002
【特許請求の範囲】
【請求項１】
ノード間で互いに対応するＷＤＭ信号を送受信する光伝送システムにおいて使用される光伝送装置であって、
それぞれ光信号を生成する複数の光信号生成器と、
上記複数の光信号生成器により生成される複数の光信号からＷＤＭ信号として多重すべき複数の光信号を生成する複数の波長変換器と、
上記複数の光信号生成器と上記複数の波長変換器との間に設けられ、それらの間の経路を切り替える光スイッチ回路と、
上記複数の光信号生成器により生成される複数の光信号の優先度を設定する優先度設定手段と、
受信したＷＤＭ光に多重化されている各光信号の通信状態を検知する検知手段と、
上記検知手段により障害が検知されたときに、上記優先度設定手段により設定されている優先度に基づいて上記光スイッチ回路内の経路を変更する制御手段、
を有する光伝送装置。
【請求項２】
請求項１に記載の光伝送装置であって、
上記制御手段は、上記優先度設定手段を参照し、上記光スイッチ回路において、上記検知手段により障害が検知された光信号に対応する上記複数の光信号の中の第１の光信号の出力先と通信中であり且つその第１の光信号よりも優先度の低い上記複数の光信号の中の第２の光信号の出力先とを互いに入れ替える。
【請求項３】
請求項２に記載の光伝送装置であって、
上記光スイッチ回路と上記複数の波長変換器との間に設けられ、上記制御手段からの指示に従って上記第２の光信号を遮断する遮断手段をさらに有する。
【請求項４】
請求項１に記載の光伝送装置であって、
上記制御手段は、上記優先度設定手段を参照し、上記光スイッチ回路において、上記検知手段により障害の復旧が検知された光信号に対応する上記複数の光信号の中の第３の光信号の出力先と非通信中であり且つその第３の光信号よりも優先度の高い上記複数の光信号の中の第４の光信号の出力先とを互いに入れ替える。
【請求項５】
ノード間で互いに対応するＷＤＭ信号を送受信する光伝送システムにおいて使用される光伝送装置であって、
それぞれ光信号を生成する複数の光信号生成器と、
それぞれ光信号を受信する複数の光受信器と、
上記複数の光信号生成器により生成される複数の光信号からＷＤＭ信号として多重すべき複数の光信号を生成する複数の第１の波長変換器と、
他ノードから受信したＷＤＭ信号に多重化されている複数の光信号の波長を変換する複数の第２の波長変換器と、
上記複数の光信号生成器と上記複数の第１の波長変換器との間に設けられ、それらの間の経路を切り替える第１の光スイッチ回路と、
上記複数の第２の波長変換器と上記複数の受信器との間に設けられ、それらの間の経路を切り替える第２の光スイッチ回路と、
上記複数の光信号の優先度を設定する優先度設定手段と、
他ノードから受信したＷＤＭ光に多重化されている各光信号の通信状態を検知する検知手段と、
上記検知手段により障害が検知されたときに、上記優先度設定手段により設定されている優先度に基づいて上記第１および第２の光スイッチ回路内の経路を変更する制御手段、
を有する光伝送装置。
【発明の詳細な説明】
【技術分野】
【０００１】
本発明は、ＷＤＭ信号を送受信する光伝送装置および光伝送システムに関する。
【背景技術】
【０００２】
近年のインターネットの急速な普及により、大容量かつ長距離伝送が可能な光伝送技術を実現するために、光波長多重（ＷＤＭ：Wavelength Division Multiplexing）伝送技術が注目されている。ＷＤＭ伝送では、互いに異なる複数の波長を利用して１本の光ファイバを介して複数の光信号が伝送される。
【０００３】
ところで、光伝送システムにおいて発生する障害から伝送データを保護するための１つの方策として、システムを冗長化する構成が実施されている。例えば、特許文献１に記載のシステムでは、伝送路が冗長化されており、通常動作時には、優先度の高い信号が高優先順位用回線を介して伝送されるとともに、優先度の低い信号が低優先順位用回線を介して伝送される。そして、高優先順位用回線に障害が発生すると、優先度の低い信号の伝送を停止し、低優先順位用回線を介して優先度の高い信号を伝送する。これにより、優先度の高い信号に係るサービスを継続することができる。他の方策としては、伝送装置自体を冗長化する構成が考えられる。
【特許文献１】特表２００３−５０４９５６号公報（要約、図１、０００２段落）
【発明の開示】
【発明が解決しようとする課題】
【０００４】
ところが、近年、ＷＤＭ信号を構成する各波長の伝送容量も大容量化してきている、すなわち、ＷＤＭ信号を構成するある１つの波長に障害が発生しただけで、大きな被害が発生し得る。このため、ＷＤＭ伝送システムにおいては、波長ごとに冗長構成を設けることが望ましい。
【０００５】
しかし、各波長について冗長化を図ると、多くの設備投資を要し、システムを構成する装置の複雑化やシステムの高コスト化につながる。特に、伝送品質を向上させるため多段階の冗長構成を採用しようとすると、さらなる設備とコストを要することとなる。
【０００６】
本発明は、ＷＤＭ信号を送受信する光伝送システムにおいて、低コストかつ簡易な構成で波長ごとの冗長化を実現することである。
【課題を解決するための手段】
【０００７】
上記目的を達成するために、本発明に係る光伝送装置は、ノード間で互いに対応するＷＤＭ信号を送受信する光伝送システムにおいて使用される光伝送装置であって、それぞれ光信号を生成する複数の光信号生成器と、上記複数の光信号生成器により生成される複数の光信号からＷＤＭ信号として多重すべき複数の光信号を生成する複数の波長変換器と、上記複数の光信号生成器と上記複数の波長変換器との間に設けられ、それらの間の経路を切り替える光スイッチ回路と、上記複数の光信号生成器により生成される複数の光信号の優先度を設定する優先度設定手段と、受信したＷＤＭ光に多重化されている各光信号の通信状態を検知する検知手段と、上記検知手段により障害が検知されたときに、上記優先度設定手段により設定されている優先度に基づいて上記光スイッチ回路内の経路を変更する制御手段、を有する。
【０００８】
ＷＤＭ伝送において使用される光伝送装置において、波長変換器の障害が検知手段によって検知されると、光スイッチ回路が、光信号生成器と波長変換器との間における光信号の経路を切り替える。光信号の経路の切り替えは、優先度設定手段により設定されている優先度に基づいてなされ、伝送装置や伝送路の冗長構成を必要とせずに優先度の高い光信号について、通信を確保する。
【０００９】
上記光伝送装置であって、上記制御手段は、上記優先度設定手段を参照し、上記光スイッチ回路において、上記検知手段により障害が検知された光信号に対応する上記複数の光信号の中の第１の光信号の出力先と通信中であり且つその第１の光信号よりも優先度の低い上記複数の光信号の中の第２の光信号の出力先とを互いに入れ替えるようにしてもよい。この場合、第２の光信号は、例えば、上記複数の光信号の中で最も優先度の低い光信号である。障害の検知された第１の光信号と、障害が検知されておらず優先度が第１の光信号よりも低い第２の光信号とで光スイッチ回路内の経路を切り替える。これにより、優先度の低い第２の光信号の通信は停止するものの、優先度の高い第１の光信号について通信を確保できる。なお、この機能を利用すれば、Ｎ波のＷＤＭ伝送においては、第Ｍ番目に優先度の高い光信号は、「Ｎ−Ｍ」段の冗長構成が与えられることとなる。
【００１０】
また、上記光スイッチ回路と上記複数の波長変換器との間に設けられ、上記制御手段からの指示に従って上記第２の光信号を遮断する遮断手段をさらに有することとしてもよい。遮断手段によって第２の光信号が遮断されると、受信側の伝送装置においてその第２の光信号が受信されない。これにより、受信側の伝送装置は、相手側の伝送装置における障害を検知して、上記優先度の高い光信号について通信を確保する処理を実行できる。
【００１１】
また、上記光伝送装置であって、上記制御手段は、上記優先度設定手段を参照し、上記光スイッチ回路において、上記検知手段により障害の復旧が検知された光信号に対応する上記複数の光信号の中の第３の光信号の出力先と非通信中であり且つその第３の光信号よりも優先度の高い上記複数の光信号の中の第４の光信号の出力先とを互いに入れ替えることとしてもよい。１つの光信号について障害の復旧が検知されたとすると、それまで障害の検知されていた複数の光信号のうち、優先度の高い光信号について経路を切り替えて、通信を確保する。
【００１２】
本発明は、上記光伝送装置に限られない。上記光伝送装置を使用する光伝送システム等であっても、本発明に含まれる。
【発明の効果】
【００１３】
本発明によれば、ＷＤＭ信号を送受信する光伝送システムにおいて、低コストかつ簡易な構成で波長ごとの冗長化が実現される。また、優先度の高い光信号に対しては、優先度の低い光信号の伝送を停止することにより、２段以上の冗長構成が与えられる。
【発明を実施するための最良の形態】
【００１４】
以下、本発明の好適な実施の形態について、図面を参照しながら詳細に説明する。
図１（ａ）は、本発明に係る光伝送システムの構成の概略図である。伝送装置Ａ局、Ｂ局は、ここでは、ＷＤＭ伝送路５として使用される１対の光ファイバで接続されている。そして、ＷＤＭ伝送路５を介して多重化された光信号を送受信することにより、双方向のデータ通信が行われる。ここで、Ａ局からＢ局へ伝送されるＷＤＭ（Ａ−Ｂ）信号、およびＢ局からＡ局へ伝送されるＷＤＭ（Ｂ−Ａ）信号は、互いに対応している。すなわち、ＷＤＭ（Ａ−Ｂ）信号およびＷＤＭ（Ｂ−Ａ）信号がそれぞれ光信号Ａ〜Ｆを含んでいるものとすると、ＷＤＭ（Ａ−Ｂ）信号の光信号ＡおよびＷＤＭ（Ｂ−Ａ）信号の光信号Ａは、同一ユーザ（または、同一装置）により送受信される。光信号Ｂ〜Ｆについても同様である。したがって、Ａ局とＢ局においては、自局が送信する光信号と相手局から受信する光信号とを対応付けて管理している。そして、Ａ局のポート番号ｎを使用して送信された光信号をＢ局にて受信すると、Ｂ局からＡ局に対して送信される光信号も、ポート番号ｎを使用して送信される。
【００１５】
図１（ｂ）は、光伝送システムにおける伝送装置Ａ局、Ｂ局の一般的な構成を概略的に示した図である。ＷＤＭ伝送において使用される伝送装置は、複数の光送受信器２、複数のトランスポンダ（波長変換器）３、多重分配装置（ＭＵＸ／ＤＥＭＵＸ）４を含んで構成される。各光送受信器２は、それぞれ光送信器２Ｔと光受信器２Ｒとを備える。光送信器２Ｔは、相手側の伝送装置へ送信すべき光信号を生成する。また、光受信器２Ｒは、相手側の伝送装置から送信された光信号を受信する。各トランスポンダ３は、それぞれ送信用波長変換器３Ｔと受信用波長変換器３Ｒとを備える。送信用波長変換器３Ｔは、対応する光送信器２Ｔにより生成された光信号の波長を変換する。このとき、複数のトランスポンダ３から出力される光信号の波長が互いに異なるように変換が行われる。また、受信用波長変換器３Ｒは、相手側の伝送装置から送信された光信号の波長を変換する。多重分配装置（ＭＵＸ／ＤＥＭＵＸ）は、複数の光信号を多重してＷＤＭ光を生成する機能、および受信したＷＤＭ光を波長ごとに分解する機能を提供する。
【００１６】
図２は、本実施形態に係る伝送装置の構成図である。図１（ｂ）に示す一般的な伝送装置と比較すると、本実施形態に係る伝送装置１は、光送受信器２とトランスポンダ３との間に経路切り替え装置１０をさらに備えている。経路切り替え装置１０は、受信したＷＤＭ光の含まれている各光信号の状態を検知する検出器１１、検出器１１の検知結果に基づいて経路切り替え装置１０の各部に対して制御を行う制御回路１２、複数の光送受信器２から複数のトランスポンダへ向かう光信号の経路を切り替える送信信号スイッチ回路１３、および複数のトランスポンダ３から複数の光送受信器２に向かう光信号の経路を切り替える受信信号スイッチ回路１４を含んで構成される。なお、検出器１１は、受信したＷＤＭ光の含まれている各光信号について、その光レベルが所定の閾値に達しているか否かに従って各光信号の状態を検出する。あるいは、受信光信号からパケットを再生し、そのヘッダをチェックすることによって光信号の状態を検出するようにしてもよい。
【００１７】
送信信号スイッチ回路１３は、６個の光カプラ３１、６個の光スイッチ、および６個の光シャッター３３を備える。各光カプラ３１は、対応する光送受信器２により生成される光信号を６分岐する。各光スイッチ３２は、６個の光カプラ３１から送られてくる光信号の中から制御回路１２により指定された光信号を選択して出力する。各光シャッター３３は、制御回路１２からの指示に応じて対応する光スイッチ３２の出力を遮断する。
【００１８】
受信信号スイッチ回路１４は、６個の光カプラ４１及び６個の光スイッチ４２を含む。各光カプラ４１は、対応するトランスポンダ３からの光信号を７分岐する。各光スイッチ４２は、６個の光カプラ４１から送られてくる光信号の中から制御回路１２により指定された光信号を選択して出力する。なお、光カプラ４１により７分岐された光信号のうち１つの光信号については検出器１１に導かれ、他の光信号についてはそれぞれ６個の光スイッチ４２に導かれる。
【００１９】
制御回路１２は、検出器１１により検出された各受信光信号の状態に基づいて、送信信号スイッチ回路１３および受信信号スイッチ回路１４を制御する。このとき、制御回路１２は、図３に示されるテーブルを参照して、各スイッチ回路１３、１４内の経路の制御を行う。
【００２０】
図３は、スイッチ回路１３、１４の制御時に参照される管理テーブルである。伝送装置１は自装置内のメモリ等に図３の管理テーブル５０を有している。管理テーブル５０は、光信号の経路を指定する情報、および送受信する光信号の優先順位に関する情報を管理する。そして、管理テーブル５０は、入力元（光送受信器側ポート番号）５１、優先順位５２、グループ（ＧＰ）５３、出力先（伝送路側ポート番号）５４および状態５５を含む。
【００２１】
入力元５１としては、各光送受信器２を識別する情報が格納される。図３の管理テーブル５０では、図２で示される６つの光送受信器についての情報が格納されている。優先順位５２としては、各光送受信器２により送受信される光信号の優先度（相対的な通信の重要さを示す情報）が格納される。ここでは、数値が小さいほど優先度高いことを表している。出力先５４としては、各トランスポンダ３を識別する情報が格納される。図３の管理テーブル５０では、図２で示される６つのトランスポンダ３についての情報が格納されている。状態５５としては、ＷＤＭ光に含まれる各光信号の状態を表す情報が格納される。なお、入力元５１、優先順位５２については、例えば、予め管理者等により設定される。また、グループ５３については、後で説明する。
【００２２】
制御回路１２は、ある光信号について障害を検出すると、その検出結果に応じて管理テーブル５０の状態５５を更新する。このとき、各光信号についての優先順位５２を参照し、必要に応じてスイッチ回路１３、１４の経路を変更する。スイッチ回路１３、１４の経路を変更、管理テーブル５０において出力先５４を変更し、その変更結果に従って光スイッチ３２、４２に指示を与えることにより実現される。
【００２３】
図４は、１組の伝送装置間でのＷＤＭ信号の送受信を模式的に表した図である。図４の状況におけるＡ局およびＢ局の管理テーブル５０は、図３で表される。なお、図４以下の伝送装置１の動作説明においては、それぞれ６個ずつ設けられた光送受信器２、トランスポンダ３および光シャッター３３について、それぞれ光送受信器２Ａ、２Ｂ、…、２Ｆ、トランスポンダ３Ａ、３Ｂ、…、３Ｆおよび光シャッター３３Ａ、３３Ｂ、…、３３Ｆと表記することとする。
【００２４】
図４においては、現在、Ａ局の光送受信器２Ａ〜２Ｆにより生成される光信号は、Ａ局のトランスポンダ３Ａ〜３Ｆを介して送信され、Ｂ局のトランスポンダ２Ａ〜２Ｆを介してＢ局の光送受信器２Ａ〜２Ｆにより受信されている。同様に、Ｂ局の光送受信器２Ａ〜２Ｆにより生成される光信号は、Ｂ局のトランスポンダ３Ａ〜３Ｆを介して送信され、Ａ局のトランスポンダ２Ａ〜２Ｆを介してＡ局の光送受信器２Ａ〜２Ｆにより受信されている。
【００２５】
ここで、Ａ局のトランスポンダ３Ｂに、障害が発生したとし、これを図５に模式的に表す。図５では、障害の発生しているトランスポンダ（３Ｂ）を、斜線で表している。トランスポンダ３Ｂの障害により、Ａ局からＢ局に向けて送信される光信号のうち、トランスポンダ３Ｂを経由する光信号については、Ｂ局にて受信されない。このことをＢ局の検出器１１にて検知すると、Ｂ局において、制御回路１２は、送信信号スイッチ回路１３の光シャッター３３Ｂを遮断させるよう指示する。Ｂ局の光シャッター３３Ｂを遮断することで、Ｂ局からトランスポンダ３Ｂを経由してＡ局に向けて送信される光信号は、Ａ局にて受信されなくなる。なお、以下の説明では、Ａ局およびＢ局の光送受信器２Ｂから出力された光信号は、いずれも光信号Ｂと呼ぶこととする。
【００２６】
Ａ局においても同様に、検出器１１にて光信号Ｂについての障害が検知され、Ａ局の制御回路１２は光シャッター３３Ｂを遮断する。図６は、Ａ局およびＢ局の双方において光シャッター３３Ｂが遮断状態となっている状況を示している。
【００２７】
図７は、Ａ局およびＢ局が図６で示される状態になった際の、それぞれの局の管理テーブル５０のデータの更新について説明する図である。図７に示される４つの管理テーブル５０のうち、左側の２つはＡ局、右側の２つはＢ局のテーブルである。また、上段の２つは図６に示す状態におけるテーブル、下段の２つはそれぞれの局の制御回路１２によりデータの更新された後のテーブルである。
【００２８】
まず、図５に示すようにＡ局のトランスポンダ３Ｂが故障すると、Ｂ局において光信号Ｂについての障害が検出され、状態５５が「ＯＫ」から「ＮＧ」に更新される。続いて、図６のように障害がＡ局でも検知されると、Ａ局の管理テーブル５０でも同様に、光信号Ｂについて状態５５が「ＮＧ」に更新される。
【００２９】
状態５５が「ＮＧ」に更新されると、制御回路１２は、障害の発生した光信号についての「出力先」と、状態５５が「ＯＫ」の光信号の中で障害の発生した光信号よりも優先順位が低い光信号についての「出力先」とを入れ替える。このとき、状態５５が「ＯＫ」となっている光信号の中で優先順位が最も低い光信号が選択される。この例では、障害の発生した光信号Ｂの出力先と、「優先順位＝６」が設定されている光信号Ｆの出力先とが入れ替えられている。
【００３０】
図８は、出力先データを入れ替えた後の状態を示した図である。図８に示すように、Ａ局およびＢ局双方のスイッチ回路１３、１４において、優先順位の高い（優先順位＝２）光信号Ｂの経路と、優先順位の低い（優先順位＝６）光信号Ｆの経路とが互いに入れ替えられる。この結果、光送受信器２Ｂにより生成される優先順位の高い光信号Ｂは、故障していないトランスポンダ３Ｆを利用して送信されることとなり、Ａ局とＢ局との間で光信号Ｂを利用した通信が確保される。ただし、このとき、優先順位の低い光信号Ｆについては、通信不可能とされる。
【００３１】
Ａ局のトランスポンダ３Ｂの障害に続いて、さらにＡ局のトランスポンダ３Ｄに障害が発生したとする。このときの各局の状態を図９に示す。Ｂ局においてＡ局のトランスポンダ３Ｄからの光信号Ｄが受信されていないことが、Ｂ局の検出器１１にて検知される。以降、図６を参照して説明した手順と同様にして、Ｂ局およびＡ局の光シャッター３３Ｄが光信号Ｄを遮断する。この状態を示したのが、図１０である。
【００３２】
図１１は、Ａ局のトランスポンダＤについて障害が発生した際の管理テーブルの更新を説明する図である。Ａ局およびＢ局の管理テーブル５０においては光信号Ｄの状態５５を「ＮＧ」に更新すると、制御回路１２は、その光信号よりも優先順位が低く、かつ通信に障害の発生していない光信号を管理テーブル５０から検索し、該当する光信号が存在する場合は、出力先５４を入れ替える。図１１では、光信号Ｅがこれに該当するので、Ａ局、Ｂ局それぞれにおいて、障害の発生している光信号Ｄの出力先と光信号Ｅの出力先とが互いに入れ替えられる。図１２は、光信号Ｄ、Ｅについて管理テーブル５０の出力先５４が更新された後の通信の状態を表した図である。このとき、光信号Ｄは、故障の発生していないトランスポンダ３Ｅを利用して送信され、Ａ局とＢ局との間で光信号Ｄを利用した通信が確保される。
【００３３】
ある光信号に障害が発生した場合、管理テーブル５０より管理されている情報に基づいて、その障害の発生した光信号の経路と、その障害の発生した光信号よりも優先順位が低く且つ障害の発生していない光信号の経路が互いに切り替えられる。これにより、優先順位の高い光信号に係る通信が確保される。
【００３４】
なお、上述の実施例では、６チャネルのＷＤＭ信号において２番目に優先順位の高い光信号Ｂを送信するためのトランスポンダ３Ｂが故障し、光信号Ｂ、Ｆの経路が互いに入れ替えられている。この場合、光信号Ｂは、トランスポンダ３Ｆを介して送信される。そして、Ａ局、Ｂ局間で光信号Ａ〜Ｅが送受信されることとなる。この後、仮に、トランスポンダ３Ｆが故障したとすると、光信号Ｂの経路は、例えば、光信号Ｅの経路と入れ替えられる。そうすると、光信号Ｂは、トランスポンダ３Ｅを介して送信されることとなる。以降、同様に障害が発生すると、光信号Ｂは、自分よりも優先順位の低い光信号Ｃ、Ｄに対して割り当てられているトランスポンダを利用できる。すなわち、光信号Ｂは、自分よりも優先順位の低い光信号Ｃ〜Ｆに対して割り当てられている４個のトランスポンダを利用できる。すなわち、光信号Ｂには、４段階の冗長構成が与えられていることとなる。
【００３５】
このことを一般式で表現すると、各光信号は、「Ｎ−Ｍ」段の冗長構成が与えられていると言える。なお、「Ｎ」は、ＷＤＭのチャネル数である。また、「Ｍ」は、各光信号の優先順位である。
【００３６】
続いて、Ａ局のトランスポンダ３Ｂ、３Ｄが順次障害から回復した場合における、本実施形態に係る伝送装置１の動作について説明する。図１３は、Ａ局のトランスポンダ３Ｂが障害から復旧したときのシステムの状態を模式的に表した図である。Ａ局では、トランスポンダ３Ｂが障害から復旧すると、そのトランスポンダ３Ｂに対応する光シャッター３３Ｂを例えば手動で開放し、光信号Ｆを通過させる。Ｂ局においてはこの光信号Ｆを検出し、管理テーブル５０において光信号Ｆに対応する状態５５を「ＮＧ」から「ＯＫ」に更新する。Ｂ局において状態５５に異常がないことが検知されると、Ｂ局では光シャッター３３Ｂを開放し、Ａ局に対して光信号Ｆの送信を開始する。Ａ局においてこの光信号Ｆを検出すると、管理テーブル５０において光信号Ｆに対応する状態５５を「ＯＫ」に更新する。Ａ局側で管理テーブル５０の状態５５がＯＫになると、すなわちＢ局から送信された光信号Ｆを検知すると、Ａ局の光シャッター３３Ｂを手動制御から自動制御に移す。Ａ局の光シャッター３３Ｂが自動制御に切り替えられた段階におけるシステムの状態を模式的に表した図が、図１４である。
【００３７】
図１５は、Ａ局のトランスポンダ３Ｂが復旧したときの、Ａ局およびＢ局の管理テーブル５０のデータの更新について説明する図である。システムが図１４の状態にあるときのＡ局およびＢ局の管理テーブルを、図１５上段に示す。制御回路１２は、光信号Ｆの障害が復旧すると、その光信号Ｆよりも優先順位が高く、障害の生じている光信号の有無を管理テーブル５０で調べる。図１５の例では、光信号Ｅが検出される。そして、障害の復旧した光信号Ｆの「出力先」と、検出された光信号Ｅの「出力先」とが互いに入れ替えられる。図１５下段は、Ａ局およびＢ局について、データ入れ替え後の管理テーブル５０である。図１６は、図１５に下段に示す状態の管理テーブル５０に従って設定されたシステムの状態を示している。このとき、光信号Ｅは、復旧したトランスポンダ３Ｂを介してから送信される。一方、光信号Ｆは、トランスポンダ３Ｄを経由するため、通信できない状態とされる。
【００３８】
図１７は、Ａ局のトランスポンダ３Ｄがさらに復旧したときのシステムの状態を模式的に表した図である。トランスポンダ３Ｄが障害から復旧すると、そのトランスポンダ３Ｄに対応する光シャッター３３Ｄが開放され、それまで遮断されていた光信号Ｆの送信が開始される。この光信号ＦがＢ局にて検出され、Ｂ局において制御回路１２の指示により管理テーブル５０の状態５５が更新される。管理テーブル５０の更新に伴ってＢ局では光シャッター３３Ｄが自動制御により開放され、これによりＡ局においても光信号Ｆが検知され、管理テーブル５０が更新される。
【００３９】
図１８は、トランスポンダＤが障害から復旧した際の、Ａ局およびＢ局の、管理テーブル５０のデータ更新について説明する図である。システムが図１７の状態にあるときの、Ａ局およびＢ局の管理テーブルを、図１８上段に示す。光信号Ｆが通信可能な状態になったときの管理テーブルを、図１８下段に示す。図１９は、管理テーブルが図１８下段で示されるときの、システムの状態を模式的に表した図である。
【００４０】
このように、障害が復旧すると、管理テーブルの情報から、障害の復旧したトランスポンダを経由していた光信号よりも優先順位が高く、障害により通信できない状態の光信号とでその経路を切り替える。これにより、複数のトランスポンダが故障している状況においてそのうちの１つを復旧させた場合、停止している複数の光信号の中で最も優先順位が高い光信号の送受信を再開させることができる。
【００４１】
なお、上述のようにして全ての光信号の通信について障害が復旧した後、管理テーブル５０の出力先５４のデータを図３で示される状態にリセットすることとしてもよい。このような機能を設ければ、メンテナンス等の負荷を軽くすることができる。
【００４２】
図２０は、Ａ局において信号に障害が発生した際の、Ａ局およびＡ局と通信しているＢ局における基本動作のフローチャートである。以下、図２０を参照して各局の動作処理を説明する。
【００４３】
まず、Ａ局において、Ｂ局に送信する光信号の１つに障害が発生する（ステップＳ１）。障害によりＢ局に光信号が送信されなくなると、Ｂ局からＡ局に向けて送信される対応する光信号が遮断される。この結果、Ｂ局からの光信号が受信されていないことをＡ局にて検知すると、Ａ局の光シャッターを遮断する（ステップＳ３）。
【００４４】
Ａ局にて、障害により送信できなくなっている光信号より優先順位が低く、且つ通信に障害の発生していない光信号があるか否かを管理テーブル５０を参照して判定する（ステップＳ４）。該当する光信号が存在する場合、障害の発生している光信号の「出力先」と、検出した光信号の「出力先」とを互いに入れ替え（ステップＳ５）、処理を終了する。該当する光信号がない場合は特に処理を行わずに終了する。
【００４５】
Ｂ局においては、Ａ局での障害の発生は、自局の検出器１１にて光信号が受信されないことにより検知する。受信されない光信号と同じ優先順位を持つ信号が、Ａ局に送信されないように光シャッター３３を遮断する（ステップＳ２）。Ｂ局にて実行されるステップＳ６、Ｓ７は、Ａ局において実行されるステップＳ４、Ｓ５と同じである。
【００４６】
図２１は、Ａ局において障害が復旧した際の、Ａ局およびＡ局と通信しているＢ局における基本動作のフローチャートである。以下、図２１を参照して各局の動作処理を説明する。
【００４７】
Ａ局において、障害が復旧すると、対応する光シャッター３３を開放し、光信号の送信を開始する（ステップＳ１１）。信号を受信したＢ局では、自局からＡ局に対して送信する光信号の送信を開始する。Ａ局では、Ｂ局からの光信号が検知されると、管理テーブル５０の状態５５において検知光信号に対応するデータをＮＧからＯＫに更新する（ステップＳ１３）。
【００４８】
Ａ局にて、障害の復旧したトランスポンダを介して送信される光信号よりも優先順位が高く、障害の発生している光信号があるか否かを、管理テーブル５０を参照して判定する（ステップＳ１４）。該当する光信号が存在する場合、上記２つの光信号の「出力先」を互いに入れ替え（ステップＳ１５）、処理を終了する。該当する光信号がない場合は特に処理を行わずに終了する。
【００４９】
Ｂ局においては、それまで受信されていなかった光信号が、自局の検出器１１にて検知され、対応する光シャッター３３を開放し、自局からＡ局に対して、対応する光信号を送信するとともに、管理テーブル５０の状態５５のデータをＮＧからＯＫに更新する（ステップＳ１２）。なお、Ｂ局で実行されるステップＳ１６、１７は、Ａ局において実行されるステップＳ１４、１５と同じである。
【００５０】
以上、本実施形態に係る伝送装置について説明したが、本発明はこれに限られるものではない。例えば、経路切り替え装置１０は、他の構成をとる場合であっても上記の作用、効果を得ることが可能である。
【００５１】
図２２に示す経路切り替え装置１０Ｂは、上述した検出器１１に加え、制御回路１２Ｂ、送信信号スイッチ回路１３Ｂおよび受信信号スイッチ回路１４Ｂを含んで構成される。
送信信号スイッチ回路１３Ｂは、図２に示す６個の光カプラ３１の代わりに、６個の光スイッチ３４を備えている。各光スイッチ３４は、対応する光送受信器２により生成される光信号を制御回路１２Ｂが指示する光スイッチ３２へ導く。一方、受信信号スイッチ回路１４Ｂは、６個の光カプラ４１の代わりに、６個の光カプラ４３および６個の光スイッチ４４を備える。各光カプラ４３は、対応するトランスポンダ３からの光信号の一部を分岐して検出器１１に導く。また、各光スイッチ４４は、対応する光カプラ４３からの光信号を制御回路１２Ｂが指示する光スイッチ４２へ導く。
【００５２】
図２２の構成の経路切り替え装置１０Ｂを伝送装置に採用すると、送信する光信号は経路切り替え装置１０Ｂ内で光カプラによって分岐されないため、光信号の減衰を抑制する効果を有し、通信の品質の向上に資する。また、光信号の減衰が抑えられるので、より多くの波長を多重する場合にも好適である。
【００５３】
図２３に示す経路切り替え装置１０Ｃは、上述した検出器１１のほか、制御回路１２Ｃ、送信信号スイッチ回路１３Ｃ、受信信号スイッチ回路１４Ｃを含んで構成される。
送信信号スイッチ回路１３Ｃは、光シャッター３３を備える点では上述の構成と同様であるが、送信する光信号の経路を切り替えるためにＭＥＭＳ（Micro Electro Mechanical Systems）スイッチ３５を使用する。一方、受信信号スイッチ回路１４Ｃは、６個の光カプラ４３を備える点では図２２と同様であるが、受信した光信号の経路切り替えにＭＥＭＳスイッチ４４を使用する。制御回路１２Ｃは、検出器１１の検知結果に基づいて、光シャッター３３や、２つのＭＥＭＳスイッチ３５、４５を制御する。
【００５４】
ＭＥＭＳスイッチで光信号の経路を切り替える構成とすれば、図２２の伝送装置についてと同様、光信号の減衰を抑制する効果を有し、通信の品質の向上に資する。
なお、本発明に係る光伝送装置は、１：１接続の通信に限られず、例えば、リング型のネットワークを構成する場合においても適用可能である。図２４は、リング型ネットワーク構成の概略図である。Ａ局からＤ局までの４局が、リング型のネットワークに接続されている。図２４において、各局は、ＷＤＭ伝送が可能な伝送装置を備えている。このうち、本実施形態においては、Ａ局、Ｃ局間には３チャネルのＷＤＭ伝送路が設定され、Ａ局、Ｂ局間には、２チャネルＷＤＭ伝送路が設定され、Ａ局、Ｄ局間には、１チャネルのみの伝送路が設定され、Ｃ局、Ｄ局間には、１チャネルのみの伝送路が設定されている。この結果、Ａ局、Ｂ局、Ｃ局、Ｄ局は、それぞれ、６波長、２波長、４波長、２波長を利用してＷＤＭ伝送を行う。
【００５５】
図２４においては、グループＧＰ１〜ＧＰ４として定義される４つの仮想ネットワークが形成されており、光信号は、各々いずれのグループの通信に使用されるかが予め定められている。ある波長の光信号に対し、これに対応付けられたグループに関する情報は、各光伝送装置において管理テーブルのグループ情報として保有されている。
【００５６】
図２５は、リング型ネットワークに接続された伝送装置が保有する管理テーブルである。入力元５１、優先順位５２、出力先５４および状態５５については、先に図３を参照して述べた通りであるのでその説明は省略することとし、ここでは、リング型ネットワークで、グループ５３の情報に基づいて光信号の経路を切り替える方法について説明する。
【００５７】
なお、図２４のシステム構成ではＢ局、Ｃ局およびＤ局でＷＤＭ伝送に使用されない光信号が存在するが、これらの光信号に対応する優先順位５２、グループ５３の情報は管理テーブル５０に保有されていないものの、入力元５１、出力先５４および状態５５についての情報は管理テーブル５０にて管理されている。システムの構成を変更してこれら光信号を使用するときには、管理テーブル５０に未設定の情報を設定することで、図２５においては使用されていない光信号についても、本実施形態に係る方法によりＷＤＭ伝送を行うことが可能である。
【００５８】
グループ５３は、各光信号が属する仮想ネットワークを識別する。例えば、図２５に示すＡ局の管理テーブル５０を例に挙げると、光送受信器２Ａ、２Ｂ、２Ｃにより送受信される光信号については、グループＧＰ１に属し、それぞれ優先順位１、２、３が割り当てられている。他のグループＧＰ２、ＧＰ３において使用される光信号についても同様に、各グループ内における優先順位が設定されている
Ａ局において、光信号Ａを送信するトランスポンダが故障したものと仮定する。図２６は、障害の発生前後における、各局の管理テーブルである。図２６において、上段は障害発生前、下段は障害発生後の管理テーブルである。
【００５９】
図２６上段に示されるように、Ａ局の光信号Ａに障害が発生すると、ます、その光信号Ａを受信するＣ局において障害が検知される。続いて、Ｃ局からＡ局への光信号Ａが停止することにより、Ａ局においてもその障害を検知する。これにより、Ａ局およびＣ局の管理テーブル５０が更新される。なお、Ａ局、Ｃ局において障害を検知する動作については、先に説明した方法と同様であるのでここでは省略する。Ａ局およびＣ局では、管理テーブルを検索し、グループＧＰ１に属する光信号のうち、障害が発生しておらず、かつ優先順位が最も低い光信号とで出力先５４を入れ替える。出力先５４を入れ替えた管理テーブルを、図２６下段に示す。Ａ局およびＣ局では、障害の検知された光信号Ａの出力先は、それぞれ光信号Ｃの出力先と入れ替えられる。
【００６０】
図２７は、Ａ局において光信号Ｄを送信するトランスポンダが故障したときに管理テーブルを更新する様子を示す図である。なお、障害の発生に際して光伝送装置が備えるスイッチ回路内の経路を変更する処理については、基本的に上述した通りなので、説明を省略する。
【００６１】
ある光信号が障害から復旧したときの動作については、グループ内でより優先順位の高い光信号を優先的に送受信させるよう、障害の復旧した光信号とでその出力先を入れ替える。グループ５３の情報を参照して、そのグループ内で光信号の経路を切り替える点においては先の１：１接続の例と異なるが、他の手順等については先に説明した通りであるのでここでは省略する。
【００６２】
このように、リング型のネットワークを構成する場合であっても、管理テーブルのグループ情報に基づいて光信号がどのネットワークに接続されているかを判断することができるため、グループ内で１組の光信号の経路の切り替えを行うことにより、１：１接続の場合と同様に本実施形態に係る伝送方法が実行される。
【００６３】
なお、上述の実施例では、ＷＤＭ信号に含まれる複数の光信号のそれぞれについて互いに異なる優先順位を設定したが、本発明はこれに限定されるものではない。すなわち、例えば、光信号Ａ、Ｂに対して最も高い優先順位が設定され、光信号Ｃ、Ｄに対して２番目に高い優先順位が設定され、光信号Ｅ、Ｆに対して最も低い優先順位が設定されているものとする。この場合、例えば、光信号Ａに障害が発生すると、各光伝送装置のスイッチ回路において、光信号Ａの経路は、光信号Ｅの経路または光信号Ｆの経路のいずれか一方と入れ替えられる。
【００６４】
以上説明したように、本実施形態に係る伝送装置および伝送システムにおいては、障害の発生によってある光信号について送受信ができなくなった場合であっても、より優先順位の高い光信号が優先的に送受信されるよう光信号の経路の切り替えがなされる。光信号の経路を切り替える装置は光カプラやスイッチ等により構成されているため、波長変換器を冗長化させることなく、低コストかつ簡易な構成で、波長ごとの冗長化が実現される。
【００６５】
（付記１）ノード間で互いに対応するＷＤＭ信号を送受信する光伝送システムにおいて使用される光伝送装置であって、
それぞれ光信号を生成する複数の光信号生成器と、
上記複数の光信号生成器により生成される複数の光信号からＷＤＭ信号として多重すべき複数の光信号を生成する複数の波長変換器と、
上記複数の光信号生成器と上記複数の波長変換器との間に設けられ、それらの間の経路を切り替える光スイッチ回路と、
上記複数の光信号生成器により生成される複数の光信号の優先度を設定する優先度設定手段と、
受信したＷＤＭ光に多重化されている各光信号の通信状態を検知する検知手段と、
上記検知手段により障害が検知されたときに、上記優先度設定手段により設定されている優先度に基づいて上記光スイッチ回路内の経路を変更する制御手段、
を有する光伝送装置。
【００６６】
（付記２）付記１に記載の光伝送装置であって、
上記制御手段は、上記優先度設定手段を参照し、上記光スイッチ回路において、上記検知手段により障害が検知された光信号に対応する上記複数の光信号の中の第１の光信号の出力先と通信中であり且つその第１の光信号よりも優先度の低い上記複数の光信号の中の第２の光信号の出力先とを互いに入れ替える。
【００６７】
（付記３）付記２に記載の光伝送装置であって、
上記第２の光信号は、上記複数の光信号の中で最も優先度の低い光信号である。
（付記４）付記２に記載の光伝送装置であって、
上記光スイッチ回路と上記複数の波長変換器との間に設けられ、上記制御手段からの指示に従って上記第２の光信号を遮断する遮断手段をさらに有する。
【００６８】
（付記５）付記１に記載の光伝送装置であって、
上記制御手段は、上記優先度設定手段を参照し、上記光スイッチ回路において、上記検知手段により障害の復旧が検知された光信号に対応する上記複数の光信号の中の第３の光信号の出力先と非通信中であり且つその第３の光信号よりも優先度の高い上記複数の光信号の中の第４の光信号の出力先とを互いに入れ替える。
【００６９】
（付記６）付記１に記載の光伝送装置であって、
上記光スイッチ回路は、
それぞれ、対応する光信号生成器により生成される光信号を分岐する複数の光分岐デバイスと、
それぞれ、上記複数の光分岐デバイスから与えられる複数の分岐光信号から上記制御手段が指示する１つの分岐光信号を選択して対応する波長変換器に出力する複数の光スイッチ、
を有する。
【００７０】
（付記７）付記１に記載の光伝送装置であって、
上記光スイッチ回路は、
それぞれ、対応する光信号生成器により生成される光信号を上記制御手段が指示する出力先へ導く複数の第１の光スイッチと、
それぞれ、上記複数の第１の光スイッチに接続されており、上記制御手段が指示する第１の光スイッチからの光信号を対応する波長変換器に導く複数の第２の光スイッチ、
を有する。
【００７１】
（付記８）付記１に記載の光伝送装置であって、
上記光スイッチ回路は、ＭＥＭＳスイッチである。
（付記９）ノード間で互いに対応するＷＤＭ信号を送受信する光伝送システムにおいて使用される光伝送装置であって、
それぞれ光信号を生成する複数の光信号生成器と、
それぞれ光信号を受信する複数の光受信器と、
上記複数の光信号生成器により生成される複数の光信号からＷＤＭ信号として多重すべき複数の光信号を生成する複数の第１の波長変換器と、
他ノードから受信したＷＤＭ信号に多重化されている複数の光信号の波長を変換する複数の第２の波長変換器と、
上記複数の光信号生成器と上記複数の第１の波長変換器との間に設けられ、それらの間の経路を切り替える第１の光スイッチ回路と、
上記複数の第２の波長変換器と上記複数の受信器との間に設けられ、それらの間の経路を切り替える第２の光スイッチ回路と、
上記複数の光信号の優先度を設定する優先度設定手段と、
他ノードから受信したＷＤＭ光に多重化されている各光信号の通信状態を検知する検知手段と、
上記検知手段により障害が検知されたときに、上記優先度設定手段により設定されている優先度に基づいて上記第１および第２の光スイッチ回路内の経路を変更する制御手段、
を有する光伝送装置。
【００７２】
（付記１０）付記９に記載の光伝送装置であって、
上記制御手段は、上記優先度設定手段を参照し、上記第２の光スイッチ回路において、受信ＷＤＭ光に多重化されている複数の光信号の中で上記検知手段により障害が検知された第１の光信号の出力先と通信中であり且つその第１の光信号よりも優先度の低い第２の光信号の出力先とを互いに入れ替え、上記第１の光スイッチ回路において、上記複数の光信号生成器により生成される複数の光信号の中の上記第１および第２の光信号に対応する第３および第４の光信号の出力先を互いに入れ替える。
【００７３】
（付記１１）付記１０に記載の光伝送装置であって、
上記第２および第４の光信号は、それぞれ上記複数の光信号の中で最も優先度の低い光信号である。
【００７４】
（付記１２）付記１０に記載の光伝送装置であって、
上記第１の光スイッチ回路と上記複数の波長変換器との間に設けられ、上記制御手段からの指示に従って上記第４の光信号を遮断する遮断手段をさらに有する。
【００７５】
（付記１３）付記９に記載の光伝送装置であって、
上記制御手段は、上記優先度設定手段を参照し、上記第２の光スイッチ回路において、受信ＷＤＭ光に多重化されている複数の光信号の中で上記検知手段により障害の復旧が検知された第５の光信号の出力先と非通信中であり且つその第５の光信号よりも優先度の高い第６の光信号の出力先とを互いに入れ替え、上記第１の光スイッチ回路において、上記複数の光信号生成器により生成される複数の光信号の中の上記第５および第６の光信号に対応する第７および第８の光信号の出力先を互いに入れ替える。
【００７６】
（付記１４）ノード間で互いに対応するＷＤＭ信号を送受信する光伝送システムであって、
各ノードに設けられる光伝送装置は、
それぞれ光信号を生成する複数の光信号生成器と、
上記複数の光信号生成器により生成される複数の光信号からＷＤＭ信号として多重すべき複数の光信号を生成する複数の波長変換器と、
上記複数の光信号生成器と上記複数の波長変換器との間に設けられ、それらの間の経路を切り替える光スイッチ回路と、
上記複数の光信号生成器により生成される複数の光信号の優先度を設定する優先度設定手段と、
受信したＷＤＭ光に多重化されている各光信号の通信状態を検知する検知手段と、
上記検知手段により障害が検知されたときに、上記優先度設定手段により設定されている優先度に基づいて上記光スイッチ回路内の経路を変更する制御手段、を有する
光伝送システム。
【００７７】
（付記１５）ノード間で互いに対応するＷＤＭ信号を送受信する光伝送システムにおいて使用される光伝送装置が備える伝送管理装置であって、
それぞれ光信号を生成する複数の光信号生成器と上記複数の光信号生成器により生成される複数の光信号からＷＤＭ信号として多重すべき複数の光信号を生成する複数の波長変換器との間に設けられ、それらの間の経路を切り替える光スイッチ回路と、
上記複数の光信号生成器により生成される複数の光信号の優先度を設定する優先度設定手段と、
受信したＷＤＭ光に多重化されている各光信号の通信状態を検知する検知手段と、
上記検知手段により障害が検知されたときに、上記優先度設定手段により設定されている優先度に基づいて上記光スイッチ回路内の経路を変更する制御手段、
を有する伝送管理装置。
【図面の簡単な説明】
【００７８】
【図１】（ａ）は、光伝送システムの構成の概略図であり、（ｂ）は、光伝送システムにおける伝送装置Ａ局、Ｂ局の一般的な構成を概略的に示した図である。
【図２】本実施形態に係る伝送装置の構成図である。
【図３】スイッチ回路の制御時に参照される管理テーブルである。
【図４】ＷＤＭ伝送による２つの伝送装置間でのデータの送受信を模式的に表した図（その１）である。
【図５】ＷＤＭ伝送による２つの伝送装置間でのデータの送受信を模式的に表した図（その２）である。
【図６】ＷＤＭ伝送による２つの伝送装置間でのデータの送受信を模式的に表した図（その３）である。
【図７】Ａ局およびＢ局が図６で示される状態になった際の、それぞれの局の管理テーブルのデータの更新について説明する図である。
【図８】ＷＤＭ伝送による２つの伝送装置間でのデータの送受信を模式的に表した図（その４）である。
【図９】ＷＤＭ伝送による２つの伝送装置間でのデータの送受信を模式的に表した図（その５）である。
【図１０】ＷＤＭ伝送による２つの伝送装置間でのデータの送受信を模式的に表した図（その６）である。
【図１１】Ａ局の２つ目のトランスポンダについて障害発生時における、管理テーブルの更新を説明する図である。
【図１２】ＷＤＭ伝送による２つの伝送装置間でのデータの送受信を模式的に表した図（その７）である。
【図１３】ＷＤＭ伝送による２つの伝送装置間でのデータの送受信を模式的に表した図（その８）である。
【図１４】ＷＤＭ伝送による２つの伝送装置間でのデータの送受信を模式的に表した図（その９）である。
【図１５】Ａ局のトランスポンダが復旧したときの、Ａ局およびＢ局の管理テーブルの、データの更新について説明する図である。
【図１６】ＷＤＭ伝送による２つの伝送装置間でのデータの送受信を模式的に表した図（その１０）である。
【図１７】ＷＤＭ伝送による２つの伝送装置間でのデータの送受信を模式的に表した図（その１１）である。
【図１８】２つ目のトランスポンダが障害から復旧した際の、Ａ局およびＢ局の、管理テーブルのデータ更新について説明する図である。
【図１９】ＷＤＭ伝送による２つの伝送装置間でのデータの送受信を模式的に表した図（その１２）である。
【図２０】Ａ局において信号に障害が発生した際の、Ａ局およびＡ局と通信しているＢ局における基本動作のフローチャートである。
【図２１】Ａ局における信号の障害が復旧した際の、Ａ局およびＡ局と通信しているＢ局における基本動作のフローチャートである。
【図２２】他の光伝送装置の構成例（その１）である。
【図２３】他の光伝送装置の構成例（その２）である。
【図２４】リング型ネットワーク構成の概略図である。
【図２５】リング型ネットワークに接続された伝送装置が保有する管理テーブルである。
【図２６】リング型ネットワークにおいて、障害の発生前後の各局の管理テーブル（その１）である。
【図２７】リング型ネットワークにおいて、障害の発生前後の各局の管理テーブル（その２）である。
【符号の説明】
【００７９】
１      光伝送装置
２（２Ａ〜２Ｆ）      光送受信器
３（３Ａ〜３Ｆ）      トランスポンダ（波長変換器）
４      多重分配装置（ＭＡＸ／ＤＥＭＡＸ）
１０      経路切り替え装置
１１      検出器
１２      制御回路
１３      送信信号スイッチ回路
１４      受信信号スイッチ回路
３３（３３Ａ〜３３Ｆ）      光シャッター
５０      管理テーブル
【図１】
2006166037.tif 000003
【図２】
2006166037.tif 000004
【図３】
2006166037.tif 000005
【図４】
2006166037.tif 000006
【図５】
2006166037.tif 000007
【図６】
2006166037.tif 000008
【図７】
2006166037.tif 000009
【図８】
2006166037.tif 000010
【図９】
2006166037.tif 000011
【図１０】
2006166037.tif 000012
【図１１】
2006166037.tif 000013
【図１２】
2006166037.tif 000014
【図１３】
2006166037.tif 000015
【図１４】
2006166037.tif 000016
【図１５】
2006166037.tif 000017
【図１６】
2006166037.tif 000018
【図１７】
2006166037.tif 000019
【図１８】
2006166037.tif 000020
【図１９】
2006166037.tif 000021
【図２０】
2006166037.tif 000022
【図２１】
2006166037.tif 000023
【図２２】
2006166037.tif 000024
【図２３】
2006166037.tif 000025
【図２４】
2006166037.tif 000026
【図２５】
2006166037.tif 000027
【図２６】
2006166037.tif 000028
【図２７】
2006166037.tif 000029